(57)【要約】【課題】ユーザ間でのメッセージ交換を促進し、ひいては個人間コミュニケーションの拡大及び円滑化を可能とする。【解決手段】ユーザ端末装置１０と、ネットワークアクセス装置２０と、認証装置２１と、予め登録されたユーザの個人情報及びユーザ自身が定義したユーザ個人情報の取り扱い方法に関するポリシー情報を管理するユーザデータベース装置３０と、ユーザ端末装置にメッセージを配信するメッセージ提供装置３１とを有し、メッセージ提供装置３１は、認証装置により前記ネットワークの使用可と認証されたユーザの個人情報及びポリシー情報をユーザデータベース装置より検索し、ユーザの個人情報のマッチングを行い、個人情報の少なくとも一部が一致する各ユーザに、前記ポリシー情報に従って加工した個人情報を通信相手先のユーザに配信する。【選択図】      図１
2004282158.tif 000002
【特許請求の範囲】
【請求項１】
ユーザが所有し、ネットワークヘのアクセス機能を有するユーザ端末装置と、
前記ネットワークに接続され、予め登録された、ユーザ自身の年齢や趣味等のユーザの個人情報及びユーザ自身が定義したユーザ個人情報の取り扱い方法に関するポリシー情報を管理するユーザデータベース装置と、
前記ユーザ端末装置にメッセージを配信するメッセージ提供装置と、
を有し、
前記メッセージ提供装置は、各ユーザ端末装置からの要求により、ユーザ端末装置の所有者であるユーザの個人情報及びポリシー情報を前記ユーザデータベース装置より検索し、ユーザの個人情報のマッチングを行い、個人情報の少なくとも一部が一致する各ユーザに、前記ポリシー情報に従って加工した個人情報を通信相手先のユーザに配信することを特徴とするメッセージ交換システム。
【請求項２】
前記ネットワークに接続され、メッセージの交換をするに先立ちユーザによるネットワークの使用の可否を認証する認証装置を有することを特徴とする請求項１に記載のメッセージ交換システム。
【請求項３】
前記ユーザ端末装置と前記ネットワークとの間に接続され、前記ユーザ端末装置と前記ネットワークに接続される他の装置との間におけるデータの送受を行うネットワークアクセス装置と、
前記ユーザ端末装置よりアクセスが有った前記ネットワークアクセス装置の設置場所に基づいて前記ユーザのいる場所を判定しユーザの位置情報を管理する位置管理サーバ装置とを有し、
前記メッセージ提供装置は、前記位置管理サーバ装置から取得したユーザの位置情報に基づいて前記個人情報のマッチングを行うことを特徴とする請求項１または２のいずれかに記載のメッセージ交換システム。
【請求項４】
前記個人情報は、ユーザの氏名、ニックネーム、年齢、性別、趣味を示すデータであることを特徴とする請求項１乃至３のいずれかに記載のメッセージ交換システム。
【請求項５】
前記ポリシー情報は、前記個人情報の少なくとも一部についてメッセージの交換相手に対しての通知可否を示すデータであることを特徴とする請求項１乃至４のいずれかに記載のメッセージ交換システム。
【請求項６】
複数のユーザ間で趣味等の個人情報のマッチングを行うことにより気が合うと思われるユーザ間でメッセージ交換を行うためのサービスを提供するメッセージ交換サービス提供方法であって、
ユーザ自身の年齢や趣味等のユーザの個人情報及びユーザ自身が定義したユーザ個人情報の取り扱い方法に関するポリシー情報を予め登録しておき、
メッセージ交換時には、メッセージ交換を希望するユーザの個人情報のマッチングを行い、個人情報の少なくとも一部が一致する各ユーザに、前記ポリシー情報に従って加工した個人情報を通信相手先のユーザに配信することを特徴とするメッセージ交換サービス提供方法。
【請求項７】
前記個人情報は、ユーザの氏名、ニックネーム、年齢、性別、趣味を示すデータであることを特徴とする請求項６に記載のメッセージ交換サービス提供方法。
【請求項８】
前記ポリシー情報は、前記個人情報の少なくとも一部についてメッセージの交換相手に対しての通知可否を示すデータであることを特徴とする請求項６または７のいずれかに記載のメッセージ交換サービス提供方法。
【発明の詳細な説明】
【０００１】
【発明の属する技術分野】
本発明は、公衆無線ＬＡＮ利用場所等の公共スペースにおいて、同じ場所にいる人々の中で、ユーザのポリシー制御によりユーザの個人情報を保護しつつ、共通の趣味を持つなど、気が合いそうな人々をマッチングさせ、メッセージ交換（インスタントメッセージやチャット等）を可能とするシステム及びサービスに関する。
【０００２】
【従来の技術】
近距離無線技術を用いた専用無線デバイス等を利用してユーザ同士をマッチングする技術は考えられている（例えば、非特許文献１参照。）。
しかし、個人の属性や趣味などを細かく分析するなど、個人情報レベルでのマッチングは行われていないため、ユーザ自身が望む人とのマッチングが図られないケースが少なくない。
【０００３】
一方、携帯電話を利用した位置情報も扱えるメッセージサービスも考えられているが、友人など特定の人を対象としたものがほとんどであり、不特定多数を目的としたサービスはあまり考えられていない（例えば、非特許文献２、３参照。）。
【０００４】
また、ユーザの個人情報管理、流通技術に関しても、現在、情報所有者（ユーザ）と情報管理・提供者（サービス提供者）との間での個人情報保護技術に関して、ユーザ自身が個人情報に対する扱いをポリシーとして記述することで保護する技術があるものの、あくまでも上記２者間のものであり、個人情報を第３者に提供する場合は個人情報のみが流れてしまい、それに対するユーザのポリシーは反映されないのが現状である（例えば、非特許文献４参照。）、
【０００５】
【非特許文献１】
著者／編者、管理者：フレパーネットワークス
表題：いまだ系  ここだ系  ナビゲッティ
ＵＲＬ：ｈｔｔｐ：／／ｗｗｗ．ｎａｖｉｇｅｔｙ．ｔｖ／ｉｎｄｅｘ．ｈｔｍｌ
【非特許文献２】
著者／編者、管理者：ＫＤＤＩ
表題：Ｔｅａｍ  Ｆａｃｔｏｒｙ
ＵＲＬ：ｈｔｔｐ：／／ｗｗｗ．ａｕ．ｋｄｄｉ．ｃｏｍ／ｉｎｄｅｘ  ｆ．ｈｔｍｌ
【非特許文献３】
著者／編者、管理者：松下通信工業株式会社
表題：ニュースリリース『赤外線通信で、カーナビ（ＨＤ９０００シリーズ）と「ｉモード」携帯電話（５０４ｉシリーズ）とのリンクを可能にする、赤外線通信ユニット「ＣＡ−ＲＤ１０Ｄ」を発売』
ＵＲＬ：ｈｔｔｐ：／／ｗｗｗ．ｍａｔｓｕｓｈｉｔａ．ｃｏ．ｊｐ／ｃｏｒｐ／ｎｅｗｓ／ｏｆｆｉｃｉａｌ．ｄａｔａ／                    ｄａｔａ．ｄｉｒ／ｊｎ０２０９３０−１／ｊｎ０２０９３０−１．ｈｔｍｌ
【非特許文献４】
著者／編者、管理者：Ｗ３Ｃコンソーシアム
表題：Ｐｌａｔｆｏｒｍ  ｆｏｒ  Ｐｒｉｖａｃｙ  Ｐｒｅｆｅｒｅｎｃｅｓ（Ｐ３Ｐ）
ＵＲＬ：ｈｔｔｐ：／／ｗｗｗ．ｗ３．ｏｒｇ／Ｐ３Ｐ／
【０００６】
【発明が解決しようとする課題】
上記の通り、従来技術で知らないユーザ間でのメッセージサービスを提供する場合、マッチングの精度が低いという問題がある。
その理由として、知らない相手に自分の個人情報を公開するのは一方的に自分の個人情報だけ使われるのではないか、というリスクが大きいという点が考えられる。
【０００７】
そもそも、各種プライバシー保護技術に見られるとおり、個人情報は従来保護する対象としてしか考えられていなかったという点に重点を置くあまり、上記のような知らないユーザ間でのコミュニケーションヘの適用が難しかったという問題が有った。
しかし、一般に見知らぬユーザ同士が出会う場合、趣味が合う等の共通点からコミュニケーションを発展させる場合が多く、メッセージサービスにおいても、プライバシーを保護しつつも、個人情報が容易に交換可能となる仕組みを導入する必要がある。
【０００８】
本発明は、従来保護する対象としてしか考えられていなかった個人情報をユーザのポリシー制御の下に活用し、趣味や嗜好等、従来よりも、よりきめ細かいレベルで不特定多数の個人間でのマッチングを行うだけでなく、ユーザ間にお互いの個人情報を流通させることで、ユーザ間でのメッセージ交換を促進し、ひいては個人間コミュニケーションの拡大及び円滑化を可能とするメッセージ交換システム及びメッセージ交換サービス提供方法を提供することを目的とする。
さらに、個人情報とともにその情報の所有者（ユーザ）のポリシーを付けて流通されることで、個人情報が第３者にわたった場合でもユーザのポリシーが反映されることで、個人情報の適正な流通を可能とするメッセージ交換システム及びメッセージ交換サービス提供方法を提供することを目的とする。
【０００９】
【課題を解決するための手段】
上記目的を達成するために、請求項１に記載の発明は、ユーザが所有し、ネットワークヘのアクセス機能を有するユーザ端末装置と、前記ネットワークに接続され、予め登録された、ユーザ自身の年齢や趣味等のユーザの個人情報及びユーザ自身が定義したユーザ個人情報の取り扱い方法に関するポリシー情報を管理するユーザデータベース装置と、前記ユーザ端末装置にメッセージを配信するメッセージ提供装置とを有し、前記メッセージ提供装置は、各ユーザ端末装置からの要求により、ユーザ端末装置の所有者であるユーザの個人情報及びポリシー情報を前記ユーザデータベース装置より検索し、ユーザの個人情報のマッチングを行い、個人情報の少なくとも一部が一致する各ユーザに、前記ポリシー情報に従って加工した個人情報を通信相手先のユーザに配信することを特徴とする。
【００１０】
また、請求項２に記載の発明は、請求項１に記載のメッセージ交換システムにおいて、前記ネットワークに接続され、メッセージの交換をするに先立ちユーザによるネットワークの使用の可否を認証する認証装置を有することを特徴とする。
【００１１】
また、請求項３に記載の発明は、請求項１または２のいずれかに記載のメッセージ交換システムにおいて、前記ユーザ端末装置と前記ネットワークとの間に接続され、前記ユーザ端末装置と前記ネットワークに接続される他の装置との間におけるデータの送受を行うネットワークアクセス装置と、前記ユーザ端末装置よりアクセスが有った前記ネットワークアクセス装置の設置場所に基づいて前記ユーザのいる場所を判定しユーザの位置情報を管理する位置管理サーバ装置とを有し、前記メッセージ提供装置は、前記位置管理サーバ装置から取得したユーザの位置情報に基づいて前記個人情報のマッチングを行うことを特徴とする。
【００１２】
また、請求項４に記載の発明は、請求項１乃至３のいずれかに記載のメッセージ交換システムにおいて、前記個人情報は、ユーザの氏名、ニックネーム、年齢、性別、趣味を示すデータであることを特徴とする。
【００１３】
また、請求項５に記載の発明は、請求項１乃至４のいずれかに記載のメッセージ交換システムにおいて、前記ポリシー情報は、前記個人情報の少なくとも一部についてメッセージの交換相手に対しての通知可否を示すデータであることを特徴とする。
【００１４】
また、請求項６に記載の発明は、複数のユーザ間で趣味等の個人情報のマッチングを行うことにより気が合うと思われるユーザ間でメッセージ交換を行うためのサービスを提供するメッセージ交換サービス提供方法であって、ユーザ自身の年齢や趣味等のユーザの個人情報及びユーザ自身が定義したユーザ個人情報の取り扱い方法に関するポリシー情報を予め登録しておき、メッセージ交換時には、メッセージ交換を希望するユーザの個人情報のマッチングを行い、個人情報の少なくとも一部が一致する各ユーザに、前記ポリシー情報に従って加工した個人情報を通信相手先のユーザに配信することを特徴とするメッセージ交換サービス提供方法。を特徴とする。
【００１５】
また、請求項７に記載の発明は、請求項６に記載のメッセージ交換サービス提供方法において、前記個人情報は、ユーザの氏名、ニックネーム、年齢、性別、趣味を示すデータであることを特徴とする。
【００１６】
また、請求項８に記載の発明は、請求項６または７のいずれかに記載のメッセージ交換サービス提供方法において、前記ポリシー情報は、前記個人情報の少なくとも一部についてメッセージの交換相手に対しての通知可否を示すデータであることを特徴とする。
【００１７】
【発明の実施の形態】
以下、本発明の実施形態を、図面を参照して詳細に説明する。本発明の実施形態に係るメッセージ交換サービス（メッセージ交換サービス提供方法）の内容を図７に示す。本発明の実施形態に係るメッセージ交換サービスは、複数のユーザ間で趣味等の個人情報のマッチングを行うことにより気が合うと思われるユーザ間でメッセージ交換を行うためのサービスを提供するものであり、図７に示すように、ユーザ１、ネットワークアクセス事業者２及びメッセージサービス提供事業者３との間で行われる。ここで、「マッチング」とは、本明細書では、複数のユーザについて個人情報の一致をチェックすることをいうものとする。
【００１８】
すなわち、ユーザ１は、ネットワークアクセス事業者２に対し、アクセスサービスを受けるためのアクセスサービス使用料を支払い（ステップ１００）、ネットワーク事業者２よりアクセスサービスを受ける（ステップ１０１）。
このアクセスサービスには、ユーザが端末装置によりネットワークにアクセスする際に各種装置との間のデータの送受、ユーザの認証、メッセージ転送及びユーザの位置登録等の処理、のサービスが含まれる。
【００１９】
また、ネットワークアクセス事業者２は、メッセージサービス提供事業者３より位置情報料を受け取り（ステップ１０２）、ユーザの位置情報を配信する（ステップ１０３）。
さらに、メッセージサービス提供事業者３は、ユーザ１よりメッセージサービス使用料を受け取り（ステップ１０４）、ユーザポリシーを反映させたメッセージ（加工済みの個人情報）を通信相手となるユーザ１に配信する（ステップ１０５）。
【００２０】
すなわち、ユーザ１の位置情報に基づいて複数のユーザ１の個人情報に対してマッチングを行い、個人情報の少なくとも一部が一致したユーザに対して個人情報とともに予め登録されているポリシー情報（個人情報の取り扱い方法を示す情報）に基づいて、個人情報を加工して、すなわちユーザポリシーを反映させたメッセージを通信相手となるユーザに配信する。ここで、個人情報とは、例えば、ユーザの氏名、ニックネーム、年齢、性別、趣味を示すデータである。
【００２１】
また、ポリシー情報は、例えば、個人情報の少なくとも一部についてメッセージの交換相手に対しての通知可否を示すデータである。
メッセージの配信を受けた複数のユーザは、自分と気の合いそうな相手とメッセージの交換を行い、特定のユーザ間でコミュニケーションが行われる。
なお、図７では、複数の異なるユーザをユーザ１として示している。
【００２２】
次に、本発明の実施形態に係るメッセージ交換システムの構成を図１に示す。本実施形態に係るメッセージ交換システムは、図７に示したメッセージ交換サービス（メッセージ交換サービス提供方法）を実施するためのシステムである。
【００２３】
図１において、本実施形態に係るメッセージ交換システムは、ユーザ１が所有するユーザ端末装置１０と、ネットワークアクセス装置２０と、認証装置２１と、位置管理サーバ装置２２と、ユーザデータベース装置３０と、メッセージ提供装置３１とを有しており、ユーザ端末装置１０を除く各装置はネットワーク４０を介して相互に接続されている。
【００２４】
ネットワークアクセス装置２０、認証装置２１及び位置管理サーバ装置２２はアクセスネットワーク事業者２により管理され、ユーザデータベース装置及びメッセージ提供装置３１はメッセージサービス事業者により管理される。
ユーザ端末装置１０は、ネットワーク４０ヘのアクセス機能を有する。このユーザ端末装置１０は、例えば、無線通信端末である。
【００２５】
ネットワークアクセス装置２０は、ユーザ端末装置１０とは無線通信により接続されるようになっており、公衆無線ＬＡＮ設置場所等の各地点に設置されている。ネットワークアクセス装置２０は、ユーザ端末装置１０とネットワーク４０に接続される他の装置との間におけるデータの送受を行う機能を有する。
【００２６】
認証装置２１は、複数のユーザ端末装置１０間でメッセージの交換をするに先立ちユーザ端末装置１０からの要求に応じてユーザ１によるネットワーク４０の使用の可否を認証する機能を有している。
位置管理サーバ装置２２は、ユーザ端末装置１０よりアクセスが有ったネットワークアクセス装置２０の設置場所に基づいてユーザ１のいる場所を判定しユーザの位置情報を管理する機能を有している。
【００２７】
ユーザデータベース装置３０は、予め登録された、ユーザ自身の年齢や趣味等のユーザの個人情報及びユーザ自身が定義したユーザ個人情報の取り扱い方法に関するポリシー情報が予め登録されており、これらの個人情報及びポリシー情報を管理する機能を有している。
メッセージ提供装置３１はユーザ端末装置１０にメッセージを配信する機能を有している。
【００２８】
メッセージ提供装置３１は、各ユーザ端末装置１０からの要求により認証装置２１によりネットワーク４０の使用可と認証されたユーザ端末装置１０の所有者であるユーザ１の個人情報及びポリシー情報をユーザデータベース装置３０より検索し、ユーザの個人情報のマッチングを行い、個人情報の少なくとも一部が一致する各ユーザに、前記ポリシー情報に従って加工した個人情報を通信相手先のユーザに配信する。
また、メッセージ提供装置３１は、位置管理サーバ装置２２から取得したユーザの位置情報に基づいて個人情報のマッチングを行う。
【００２９】
次に、本発明の実施形態に係るメッセージ交換システムの動作を図２乃至図６を参照して説明する。ここで、図２は、ネットワークアクセス装置２０が有している管理データであり、自装置の識別データであるアクセス装置ＩＤ（Ａ１１１１１）と、ユーザ端末装置１０の認証を行うべき認証装置２１の識別データである認証先の認証装置ＩＤ（Ｂ１１１１１）とがネットワークアクセス装置２０内のメモリに格納されている。
【００３０】
また、図３は、認証装置２１が有している管理データであり、自装置の識別データである認証装置ＩＤ（Ｂ１１１１１）と問合せ先のユーザデータベース装置３０の識別データであるユーザデータベースＩＤ（Ｃ１１１１１）とが認証装置２１内のメモリに格納されている。
さらに、図４は、ユーザデータベース装置３０が内蔵するメモリに格納されている管理データであり、そのメモリには、システムデータ部と、ユーザデータ部と、ユーザポリシー部の各メモリエリアが設けられている。
【００３１】
システムデータ部には、ユーザデータベース装置３０の識別データであるユーザデータベースＩＤ（Ｃ１１１１１）が格納されている。ユーザデータ部には、ユーザの識別データであるユーザＩＤ、ユーザの名前、ニックネーム、年齢、性別及び趣味の個人情報を示す各データがユーザ毎にテーブル形式で登録されている。
【００３２】
また、ユーザポリシー部には、各ユーザＩＤ毎に、名前、ニックネーム、年齢、性別、趣味の各個人情報の通信相手（マッチング相手）への通知可否を示すポリシー情報が格納されている。
図５は、位置管理サーバ装置２２により管理されるネットワークアクセス装置の識別データであるアクセス装置ＩＤ、アクセス装置の設置場所の住所、使用中のユーザ端末装置を特定するユーザＩＤの各データの内容を示している。
【００３３】
次に、図６のシーケンス図に従って、メッセージ交換システムの動作を説明する。同図において、ユーザＩＤが「１１１１１」のユーザが所有するユーザ端末装置１０−１が所定の設置場所に設置されているネットワークアクセス装置２０に接近すると（シーケンスＳ１）、ユーザ端末装置１０−１よりそのネットワークアクセス装置２０にネットワーク４０の使用の可否について認証要求メッセージが送出される（シーケンスＳ２）。この認証要求メッセージには、ユーザＩＤ「１１１１１」、パスワード、認証要求を示すデータ等が含まれている。
【００３４】
ネットワークアクセス装置２０は、ユーザ端末装置１０から受け取った認証要求メッセージを、図２に示す管理データを参照して認証先の認証装置２１に転送する（シーケンスＳ３）。ネットワークアクセス装置２０より認証要求メッセージを受け取った認証装置２１は、ユーザデータベース装置３０に対して認証要求メッセージに含まれるユーザＩＤ「１１１１１」に基づいてユーザＩＤ等のユーザの認証に必要なデータであるパスワード等のユーザデータの要求を行う（ステップＳ４）。
【００３５】
ユーザデータベース装置３０は、ユーザＩＤ「１１１１１」に対応するパスワード等のユーザ認証に必要なユーザデータを認証装置２１に送出する（シーケンスＳ５）。
認証装置２１は、ユーザデータベース装置３０より受け取ったユーザデータに基づいて認証を行う（シーケンスＳ６）。
【００３６】
認証装置２１は、認証応答メッセージをネットワークアクセス装置２０に送出する（シーケンスＳ７）。次いで、ネットワークアクセス装置２０は、認証装置２１から受け取った認証応答メッセージを認証要求元であるユーザ端末装置１０−１に転送する（シーケンスＳ８）。
ユーザ端末装置１０−１は、認証応答メッセージの内容が「ネットワーク４０の使用可」である旨、確認し、以降、ネットワークの使用が可能となる（シーケンスＳ９）。
【００３７】
一方、メッセージ提供装置３１は、位置管理サーバ装置２２に対しユーザ端末装置１０−１の位置登録要求を行い（シーケンスＳ１０）、メッセージ提供装置３１は、位置管理サーバ装置２２よりユーザ端末装置１０−１の位置情報、具体的にはどのネットワークアクセス装置２０にアクセスした端末であるかについての情報を取得する（シーケンスＳ１１）。
【００３８】
次に、ユーザＩＤが「２２２２２」のユーザが所有するユーザ端末装置１０−２が所定の設置場所に設置されているネットワークアクセス装置２０に接近すると（シーケンスＳ１２）、ユーザ端末装置１０−１と同様に、認証、位置登録が実施される（シーケンスＳ１３）。そして、ユーザ端末装置１０−２の認証がなされると、ユーザ端末装置１０−２によるネットワーク４０の使用が可能となる（シーケンスＳ１４）。
【００３９】
次いで、メッセージ提供装置３１は、マッチングを開始し（シーケンスＳ１５）、位置管理サーバ装置２２に対し、ネットワークにアクセスしているユーザを示すユーザリストを要求する（シーケンスＳ１６）。
位置管理サーバ装置２２はメッセージ提供装置３１に対してユーザリストを送出する（シーケンスＳ１７）。
【００４０】
メッセージ提供装置３１は、同一のネットワークアクセス装置２０にアクセスしたユーザ端末装置を所有するユーザについてユーザデータベース装置３０から各ユーザの個人情報を取得し、マッチングを行う（シーケンスＳ１８）。本実施形態では、ユーザ端末装置１０−１、１０−２が同一のネットワークアクセス装置２０にアクセスしたものとする。
メッセージ提供装置３１は、ユーザ端末装置１０−１、１０−２を所有するユーザについてマッチングを行う。
【００４１】
メッセージ提供装置３１は、ユーザＩＤ「１１１１１」、「２２２２２」のユーザの個人情報についてマッチングを行い、図４に示すようにユーザＩＤ「１１１１１」のユーザと、ユーザＩＤ「２２２２２」のユーザでは、趣味において、「ドライブ」が一致するので、図４に示すポリシー情報に基づいて個人情報を加工する（シーケンスＳ１９）。
【００４２】
例えば、ユーザＩＤ「２２２２２」のユーザについては、ポリシー情報を参照すると、無条件で通知可であるのは、ニックネーム及び性別のみで、名前及び趣味については条件付きであり、さらに年齢については通知不可である。
また、ユーザＩＤ「１１１１１」のユーザについては、ポリシー情報から名前、ニックネーム、年齢、性別及び趣味の全てについて通知可であることが解る。
【００４３】
したがって、ユーザＩＤ「２２２２２」のユーザの名前、ニックネーム、性別、趣味のうち「ドライブ」が加工された個人情報としてネットワークアクセス装置２０を介してユーザＩＤ「１１１１１」のユーザ端末装置１０−１に配信される（シーケンスＳ２０、２１）。
また、ユーザＩＤ「１１１１１」のユーザの名前、ニックネーム、年齢、性別及び趣味の全てが個人情報としてネットワークアクセス装置２０を介してユーザＩＤ「２２２２２」のユーザ端末装置１０−２に配信される（シーケンスＳ２２、２３）。
【００４４】
ポリシー情報に従って加工された個人情報が配信されたユーザ端末装置１０−１，１０−２間では、必要に応じてメッセージ交換がネットワーク４−を介して行われる（シーケンスＳ２４）。
【００４５】
本発明の実施形態に係るメッセージ交換システム及びメッセージ交換サービス提供方法によれば、ユーザ自身の年齢や趣味等のユーザの個人情報及びユーザ自身が定義したユーザ個人情報の取り扱い方法に関するポリシー情報を予め登録しておき、メッセージ交換時には、メッセージ交換を希望するユーザの個人情報のマッチングを行い、個人情報の少なくとも一部が一致する各ユーザに、前記ポリシー情報に従って加工した個人情報を通信相手先のユーザに配信するようにしたので、ポリシー情報に基づいて加工された個人情報を活用し、マッチングすることで知らないユーザ間での個人情報ベースのメッセージ交換を安全かつ容易に行うことができ、その結果、コミュニケーションが円滑化され、パーソナルコミュニケーションの拡大が図れる。
【００４６】
【発明の効果】
本発明によれば、公衆無線ＬＡＮ利用場所等の公共スペースにおいて、ポリシー情報に基づいて加工された個人情報を活用し、マッチングすることで知らないユーザ間での個人情報ベースのメッセージ交換を安全かつ容易に行うことができ、その結果、コミュニケーションが円滑化され、パーソナルコミュニケーションの拡大が図れる。
【図面の簡単な説明】
【図１】本発明の実施形態に係るメッセージ交換システムの構成を示すブロック図。
【図２】ネットワークアクセス装置により管理される自装置の識別データであるアクセス装置ＩＤ、認証装置の識別データである認証先の認証装置ＩＤの内容を示す説明図。
【図３】認証装置により管理される自装置の識別データである認証装置ＩＤ、問合せ先のユーザデータベース装置の識別データであるユーザデータベースＩＤの内容を示す説明図。
【図４】ユーザデータベース装置により管理される自装置の識別データであるデータベースＩＤ、各ユーザの個人情報及びポリシー情報の内容を示す説明図。
【図５】位置管理サーバ装置２２により管理されるネットワークアクセス装置の識別データであるアクセス装置ＩＤ、アクセス装置の設置場所の住所、使用中のユーザ端末装置を特定するユーザＩＤの各データの内容を示す説明図。
【図６】本発明の実施形態に係るメッセージ交換システムの動作を示すシーケンス図。
【図７】本発明が適用されるメッセージ交換サービスを概念的に示す説明図。
【符号の説明】
１…ユーザ
２…ネットワークアクセス事業者
３…メッセージサービス提供事業者
１０…ユーザ端末装置
２０…ネットワークアクセス装置
２１…認証装置
２２…位置管理サーバ装置
３０…ユーザデータベース装置
３１…メッセージ提供装置
【図１】
2004282158.tif 000003
【図２】
2004282158.tif 000004
【図３】
2004282158.tif 000005
【図４】
2004282158.tif 000006
【図５】
2004282158.tif 000007
【図６】
2004282158.tif 000008
【図７】
2004282158.tif 000009